(57)【要約】【課題】無線通信装置において、ＲＦ特性の評価を可能としつつ、装置を小型化する技術を提供する。【解決手段】無線通信装置２は、アンテナ３１と、基板５１と、基板５１に装着されるスプリングピンコネクタ２４とを備える。スプリングピンコネクタ２４は、スプリングピンコネクタ２４とアンテナ３１との接触部分を含む筒形状のピン部２４Ｐと、ピン部２４Ｐを筒形状の軸方向に沿って伸縮させるためのスプリングを収納する筒形状のチューブ部２４Ｑとを含む。筒形状のピン部２４Ｐは、筒形状の側面に形成され、前記側面方向からの押下圧力を受け付けて、受け付けた押下圧力により前記スプリングを収縮させるための切り欠き部２５を含む。【選択図】図６
2014045262.tif 000002
【特許請求の範囲】
【請求項１】
無線通信装置であって、
アンテナと、
基板と、
前記基板に装着され、前記アンテナと前記基板とを接続するためのバネ性のコネクタとを備え、
前記バネ性のコネクタは、
伸縮方向に対し側面方向からの押下圧力を受け付けて、受け付けた押下圧力により前記伸縮方向において前記バネ性のコネクタを収縮させるための受付部を含む、
無線通信装置。
【請求項２】
前記バネ性のコネクタは、スプリングピンコネクタであり、
前記スプリングピンコネクタは、
前記スプリングピンコネクタと前記アンテナとの接触部分を含む筒形状のピン部と、
前記ピン部を前記筒形状の軸方向に沿って伸縮させるためのスプリングを収納する筒形状のチューブ部とを含み、
前記受付部は、筒形状の前記ピン部に斜面として形成され、
前記斜面は、筒形状の前記ピン部の側面に形成され、前記側面方向からの押下圧力を受け付けて、受け付けた押下圧力により前記スプリングを収縮させる、
請求項１記載の無線通信装置。
【請求項３】
筒形状の前記ピン部は、前記アンテナと接触するための接触面を含み、
前記斜面は、筒形状の前記ピン部が前記アンテナと接触するための接触面に交差する一平面状に形成される、
請求項２記載の無線通信装置。
【請求項４】
前記無線通信装置は、
前記無線通信装置に着脱可能な部材を装着するための装着口をさらに備え、
前記装着口は、前記アンテナと前記スプリングピンコネクタの前記斜面との間へのＲＦ（Radio  Frequency）検査用プローブの挿入を受け付け可能である、
請求項２記載の無線通信装置。
【請求項５】
前記ＲＦ検査用プローブを挿入するための前記装着口は、前記無線通信装置に電力を供給するための電池パックの装着口である、
請求項４記載の無線通信装置。
【請求項６】
前記ＲＦ検査用プローブを挿入するための前記装着口は、前記無線通信装置に情報記録媒体を装着させるための装着口である、
請求項４記載の無線通信装置。
【請求項７】
前記アンテナとは、前記無線通信装置の筺体に取り付けられるアンテナである、
請求項１記載の無線通信装置。
【請求項８】
前記バネ性のコネクタは、接点バネである、
請求項１記載の無線通信装置。
【請求項９】
ＲＦ検査用プローブであって、
ＲＦ測定器と接続するための同軸ケーブルと、
前記同軸ケーブルに接続される導電性部材と、
前記導電性部材の一面に接着される絶縁性部材とを備え、
前記絶縁性部材は、前記ＲＦ検査用プローブの挿入方向において対向する、挿入方向前方の第１の面と、後方の第２の面の辺の大きさが異なる、
ＲＦ検査用プローブ。
【請求項１０】
ＲＦ検査コネクタであって、
無線通信装置の基板に装着するための装着部と、
無線通信装置のアンテナと前記基板とを伸縮により接続するためのバネ性部材とを備え、
前記バネ性部材は、伸縮方向に対し側面方向からの押下圧力を受け付けて、受け付けた押下圧力により前記伸縮方向において前記バネ性部材を収縮させるための受付部を含む、
ＲＦ検査コネクタ。
【請求項１１】
前記ＲＦ検査コネクタは、スプリングピンコネクタであり、
前記スプリングピンコネクタは、
無線通信装置のアンテナと接触させるための接触部分を含む筒形状のピン部と、
前記ピン部を前記筒形状の軸方向に沿って伸縮させるためのスプリングを収納する筒形状のチューブ部とを備え、
前記受付部は、筒形状の前記ピン部に斜面として形成され、
前記斜面は、筒形状の前記ピン部の側面に形成され、前記側面方向からの押下圧力を受け付けて、受け付けた押下圧力により前記スプリングを収縮させる、
請求項１０記載のＲＦ検査コネクタ。
【発明の詳細な説明】
【技術分野】
【０００１】
本発明は、無線通信装置に関し、特に、装置を小型化するための技術に関する。
【背景技術】
【０００２】
無線通信装置は、近年、複数の通信方式に対応しており、各通信方式に対応してアンテナを備えている。例えば、無線通信装置としてのスマートフォンは、ＬＴＥ（Long  Term  Evolution）、ＩＥＥＥ（The  Institute  of  Electrical  and  Electronic  Engineers）８０２．１１規格に対応する無線ＬＡＮ（Local  Area  Network）機能、Ｂｌｕｅｔｏｏｔｈ（登録商標）などの複数の通信方式に対応し、通信方式それぞれについてアンテナを備える。通信方式は、それぞれ通信速度、消費電力、通信可能なエリアの広さなどが異なる。無線通信装置は、電波受信状況など、無線通信の状況に応じて通信方式を選択する。
【０００３】
例えば、ユーザが動画データなどの大容量のデータを受信する場合、無線通信装置は、通信速度を優先してＬＴＥによる無線通信を実行する。また、無線通信装置の消費電力を抑えたい場合は、無線通信装置は、例えばＬＴＥから無線ＬＡＮ機能へと通信方式を切り替えて無線通信を行う。
【０００４】
また、無線通信装置は、高機能化、小型化を求められている。例えば、無線通信装置の筺体をアンテナとして用いる（または、筺体にアンテナを取り付ける）ことで、アンテナの高性能化と基板の小面積化を実現するものがある。これらアンテナと基板とを接続するために、スプリングピンコネクタ（ポゴピン）などが用いられている。
【０００５】
スプリングピンコネクタは、ピン、チューブ、スプリングの３つで構成される。ピンは、スプリングピンコネクタが接続する対象と接触するための部材である。スプリングは、ピンを収縮させる。スプリングピンコネクタは、例えばチューブ部分が基板に取り付けられ、スプリングピンコネクタと接続する対象にピンを押し当てる。これにより、接続対象と基板との接続を小さなスペースで行うことを可能とする。スプリングピンコネクタに関し、例えば、特開２００２−４２９８６号公報（特許文献１）は、回路切り替え機能を有するコネクタを開示しており、信号伝送経路のインピーダンスが安定する。
【０００６】
ところで、これら無線通信装置は、製造時や故障時など様々な場面で、無線通信のＲＦ（Radio  Frequency）特性の評価を必要とする。例えば、無線通信装置の製造時における不良品の検出のためにＲＦ特性が評価される。また、無線通信装置の故障修理時においても、故障個所の特定や、修理が正常にされたかの確認のため、ＲＦ特性が評価される。このようなＲＦ特性の評価は、従来、基板上にＲＦ同軸コネクタを実装し、ＲＦ特性の検証時に、高周波同軸ケーブルをＲＦコネクタに挿入することで実現している。
【先行技術文献】
【特許文献】
【０００７】
【特許文献１】特開２００２−４２９８６号公報
【発明の概要】
【発明が解決しようとする課題】
【０００８】
しかし、無線通信装置のユーザの環境では、このＲＦ同軸コネクタは使用されないにもかかわらず、ＲＦ同軸コネクタが基板に実装されており、無線通信装置の小型化の妨げとなっている。
【０００９】
そのため、ＲＦ特性の評価を可能としつつ、無線通信装置の小型化を実現する技術が必要とされている。
【課題を解決するための手段】
【００１０】
一実施形態に従う無線通信装置は、アンテナと、基板と、基板に装着され、アンテナと基板とを接続するためのバネ性のコネクタとを備える。バネ性のコネクタは、伸縮方向に対し側面方向からの押下圧力を受け付けて、受け付けた押下圧力により伸縮方向においてバネ性のコネクタを収縮させるための受付部を含む。
【００１１】
好ましくは、バネ性のコネクタは、スプリングピンコネクタであり、スプリングピンコネクタは、スプリングピンコネクタとアンテナとの接触部分を含む筒形状のピン部と、ピン部を筒形状の軸方向に沿って伸縮させるためのスプリングを収納する筒形状のチューブ部とを含み、受付部は、筒形状のピン部に斜面として形成され、斜面は、筒形状のピン部の側面に形成され、側面方向からの押下圧力を受け付けて、受け付けた押下圧力によりスプリングを収縮させる。
【００１２】
好ましくは、筒形状のピン部は、アンテナと接触するための接触面を含み、斜面は、筒形状のピン部がアンテナと接触するための接触面に交差する一平面状に形成されることとしてもよい。
【００１３】
好ましくは、無線通信装置は、無線通信装置に着脱可能な部材を装着するための装着口をさらに備え、装着口は、アンテナとスプリングピンコネクタの斜面との間へのＲＦ検査用プローブの挿入を受け付け可能であることとしてもよい。
【００１４】
好ましくは、ＲＦ検査用プローブを挿入するための装着口は、無線通信装置に電力を供給するための電池パックの装着口であることとしてもよい。
【００１５】
好ましくは、ＲＦ検査用プローブを挿入するための装着口は、無線通信装置に情報記録媒体を装着させるための装着口であることとしてもよい。
【００１６】
好ましくは、アンテナとは、無線通信装置の筺体に取り付けられるアンテナであることとしてもよい。
【００１７】
好ましくは、バネ性のコネクタは、接点バネであることとしてもよい。
別の実施形態に従うＲＦ検査用プローブは、ＲＦ測定器と接続するための同軸ケーブルと、同軸ケーブルに接続される導電性部材と、導電性部材の一面に接着される絶縁性部材とを備える。絶縁性部材は、ＲＦ検査用プローブの挿入方向において対向する、挿入方向前方の第１の面と、後方の第２の面の辺の大きさが異なる。
【００１８】
別の実施形態に従うＲＦ検査コネクタは、無線通信装置の基板に装着するための装着部と、無線通信装置のアンテナと基板とを伸縮により接続するためのバネ性部材とを備え、バネ性部材は、伸縮方向に対し側面方向からの押下圧力を受け付けて、受け付けた押下圧力により伸縮方向においてバネ性部材を収縮させるための受付部を含む。
【００１９】
好ましくは、ＲＦ検査コネクタは、スプリングピンコネクタであり、スプリングピンコネクタは、無線通信装置のアンテナと接触させるための接触部分を含む筒形状のピン部と、ピン部を筒形状の軸方向に沿って伸縮させるためのスプリングを収納する筒形状のチューブ部とを備える。受付部は、筒形状のピン部に斜面として形成され、斜面は、筒形状のピン部の側面に形成され、側面方向からの押下圧力を受け付けて、受け付けた押下圧力によりスプリングを収縮させる。
【発明の効果】
【００２０】
上記一実施形態によると、無線通信装置のＲＦ特性の評価を可能としつつ、小型化を実現させることができる。
【００２１】
この発明の上記および他の目的、特徴、局面および利点は、添付の図面と関連して理解されるこの発明に関する次の詳細な説明から明らかとなるであろう。
【図面の簡単な説明】
【００２２】
【図１】関連技術の無線通信装置１の構成を示す図である。
【図２】関連技術の基板１１を示す図である。
【図３】本実施形態の無線通信装置２の構成を示す図である。
【図４】本実施形態の基板５１を示す図である。
【図５】スプリングピンコネクタ２４を示す図である。
【図６】スプリングピンコネクタ２４とアンテナとの間に挿入するＲＦ検査用プローブ６０を示す図である。
【図７】スプリングピンコネクタ２４とアンテナとの間に挿入するＲＦ検査用プローブ８０を示す図である。
【図８】無線通信装置２の電池パック接続部分からＲＦ検査用プローブを挿入する例を示す図である。
【図９】無線通信装置２に備わるメモリカード等のカード挿入口からＲＦ検査用プローブを挿入する例を示す図である。
【図１０】無線通信装置２の筺体の側面にアンテナ３１が印刷される場合に、筺体の側面にＲＦ検査用プローブを挿入する例を示す図である。
【図１１】ＲＦ検査用プローブ８８を示す図である。
【図１２】複数種類のＲＦ特性検査に対応するＲＦ検査用プローブ８９を示す図である。
【図１３】接点バネ２９とアンテナとの間に挿入するＲＦ検査用プローブ６０を示す図である。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜関連技術の構成＞
一実施の形態の無線通信装置と比較するため、関連技術について説明する。
【００２５】
図１は、関連技術の無線通信装置１の構成を示す図である。図１では、関連技術の無線通信装置１を、基板１１、中蓋１２、外蓋１３の３つに分解して示している。基板１１は、ＲＦ同軸コネクタ２１と、スプリングピンコネクタ２２（図１では、スプリングピンコネクタ２２Ａ、スプリングピンコネクタ２２Ｂの２つのスプリングピンコネクタを示す）とを備える。なお、図示していないが、無線通信装置１は、他に、高周波変復調器、ベースバンドモデム、メモリ、グラフィックプロセッサ、コアプロセッサ、ディスプレイ、スピーカ、マイク端子、電源回路、メモリカードコネクタ、サウンドシンセサイザ、カメラモジュール、ＧＰＳ（Global  Positioning  System）アンテナなどを含み、複数の通信方式に対応して複数のアンテナを備えており、他の無線通信装置と通信する。
【００２６】
関連技術の無線通信装置１は、ＲＦ（Radio  Frequency）特性を検査するためのＲＦ同軸コネクタ２１を有する。ＲＦ同軸コネクタ２１は、ＲＦ検査用プローブの装着を受け付けるためのコネクタである。ＲＦ同軸コネクタ２１は、アンテナそれぞれについて配置される。ＲＦ特性の検査者は、検査時に、ＲＦ測定器と接続されたＲＦ検査用プローブ（例えば、高周波同軸ケーブル）をＲＦ同軸コネクタ２１へ装着する。
【００２７】
１つのＲＦ同軸コネクタ２１は、基板１１において、例えば、縦２．２ｍｍ×横２．２ｍｍ×高さ１．０ｍｍ程度の大きさを占める。例えば、無線通信装置１が、複数の通信方式として、例えばＬＴＥ、ＩＥＥＥ８０２．１１規格の無線ＬＡＮ機能、Ｂｌｕｅｔｏｏｔｈ（登録商標）などに対応して、各通信方式のアンテナを備える場合、ＲＦ同軸コネクタ２１は、これらアンテナそれぞれに対応して配置される。そのため、ＲＦ同軸コネクタ２１の設置数が増えるほど、基板１１においてＲＦ同軸コネクタ２１が占める割合も高まる。
【００２８】
中蓋１２は、アンテナ３１と、ＲＦコネクタ貫通用穴部３２とを備える。中蓋１２は、アンテナ３１の設置箇所の端部において、アンテナ３１をスプリングピンコネクタ２２と接触させるための貫通孔を有している。中蓋１２が基板１１に被さることで、アンテナ３１とスプリングピンコネクタ２２Ａ、スプリングピンコネクタ２２Ｂとが接触する。アンテナ３１は、スプリングピンコネクタ２２Ａ、スプリングピンコネクタ２２Ｂと接触することで基板１１と接続する。
【００２９】
ＲＦコネクタ貫通用穴部３２は、中蓋１２が基板１１に被さっている状態で、ＲＦ特性の検査のための高周波同軸ケーブルをＲＦ同軸コネクタ２１へ導くための穴を有する。
【００３０】
外蓋１３は、図示していないがディスプレイなどを含む。これら基板１１、中蓋１２、外蓋１３が組み立てられることで、無線通信装置１は、完成品となる。
【００３１】
図２は、関連技術の基板１１を示す図である。
上述のように、関連技術の基板１１は、ＲＦ同軸コネクタ２１とスプリングピンコネクタ２２とを設けており、スプリングピンコネクタ２２は、信号線２３と接続される。信号線２３は、基板１１上のＲＦ回路等からの高周波信号をアンテナ３１へと出力するとともに、アンテナ３１が受信した高周波信号を、基板１１上のＲＦ回路等へ出力するための信号線である。ＲＦ同軸コネクタ２１は、ＲＦ回路とスプリングピンコネクタ２２との間に設けられる。
【００３２】
＜本実施形態の構成＞
図３は、本実施形態の無線通信装置２の構成を示す図である。図３では、無線通信装置２を、基板５１、中蓋５２、外蓋５３の３つに分解して示している。
【００３３】
図１の関連技術と比較すると、無線通信装置２は、関連技術におけるＲＦ同軸コネクタ２１とＲＦコネクタ貫通用穴部３２を設けることなく、ＲＦ特性の検査を可能とする点で異なる。また、無線通信装置２は、基板とアンテナとを、伸縮性を有する部材で接続する。本実施形態では、伸縮性を有する部材として、バネ性を有するコネクタを用いることとしており、具体的にはスプリングピンコネクタ２４によって、アンテナと基板とを接続している。このバネ性のコネクタは、伸縮方向に対し側面方向から押下圧力を与えることで、コネクタが収縮するよう構成されている。無線通信装置２のスプリングピンコネクタをスプリングピンコネクタ２４（図３では、スプリングピンコネクタ２４Ａ、スプリングピンコネクタ２４Ｂの２つを示す）として示している。詳しくは後述するが、本実施形態では、ＲＦ特性の検査者は、アンテナ３１とスプリングピンコネクタ２４との間に、後述するＲＦ検査用プローブを挿入することで検査する。スプリングピンコネクタ２４は、基板とアンテナとをスプリングピンコネクタ２４によって接続している状態で、筒形状の側面からの押下圧力を受け付けやすくするため斜面が形成されている。この斜面に対し、検査者が後述するＲＦ検査用プローブを挿入することでスプリングピンコネクタ２４を収縮させる。このように、バネ性のコネクタは、バネの伸縮方向に対し、側面方向からの押下圧力を受け付けるための部分を含むことで、検査用プローブを容易に挿入可能としている。
【００３４】
図４は、本実施形態の基板５１を示す図である。関連技術の基板１１と比較すると、基板５１は、ＲＦ同軸コネクタ２１を設けていない。また、本実施形態では、スプリングピンコネクタとしてスプリングピンコネクタ２４を示している。このように、本実施形態では、ＲＦ同軸コネクタ２１を設けていないため、関連技術と比較して基板面積を小さくすることができる。
【００３５】
＜スプリングピンコネクタの詳細＞
次に、別の図面を用いて、本実施形態のスプリングピンコネクタを説明する。
【００３６】
図５は、スプリングピンコネクタ２４を示す図である。図５（Ａ）は、スプリングピンコネクタ２４の上面図を示す。図５（Ｂ）は、スプリングピンコネクタ２４の正面図を示す。図５（Ｃ）は、スプリングピンコネクタ２４のピン部分の詳細を示す。
【００３７】
図５（Ａ）に示すように、スプリングピンコネクタ２４は、円筒形状をしている。図５（Ｂ）に示すように、スプリングピンコネクタ２４は、外観上は、ピン部２４Ｐと、チューブ部２４Ｑとを備えており、チューブ部２４Ｑが基板５１と固定される。チューブ部２４Ｑは、ピン部２４Ｐと接続されるスプリング（ばね部材）を内部に有している。このスプリングが伸縮することで、ピン部２４Ｐが、スプリングピンコネクタ２４の円筒形状の軸方向に伸縮される。スプリングピンコネクタ２４は、例えば、スプリングが収縮し、ピン部２４Ｐが最大限収縮した状態で、一定の嵌合長（例えば、２．５ｍｍ）となる。ピン部２４Ｐは、伸縮可能な範囲がある。
【００３８】
図５（Ｂ）に示すように、ピン部２４Ｐは、ピン部２４Ｐの先端にある接触面において、斜面（切り欠き部２５）を有する。この切り欠き部２５は、ピン部２４Ｐがアンテナ等の接触対象の部材と接触している状態で、ＲＦ特性の検査者が、ピン部２４Ｐと、接触対象の部材等との間にＲＦ検査用プローブを挿入することを容易にするために設けられる。ＲＦ検査用プローブの挿入を容易にするため、切り欠き部２５は、筒形状のピン部２４Ｐの側面に形成されており、この側面方向からの切り欠き部２５への押下圧力を、一部、スプリングピンコネクタ２４のスプリングの収縮力へと変換する。
【００３９】
切り欠き部２５は、例えば、スプリングピンコネクタのピン部先端の接触面において、接触面の略中心を通る平面により、円筒形上のピン部分を切り出し加工することにより形成される。図５（Ｃ）に示すように、例えば、スプリングピンコネクタ２４は、スプリングピンコネクタのピン部分を、ピン部の先端の接触面の略中心を通る平面により、接触面から垂直に最大０．２８ｍｍ程度、切り出し加工することで得られる。これにより、ピン部分への押下圧力が、スプリングを収縮するための圧力へと変換される。
【００４０】
＜ＲＦ検査用プローブ＞
図６、図７を用いて、ＲＦ検査用プローブについて説明する。
【００４１】
図６は、スプリングピンコネクタ２４とアンテナとの間に挿入するＲＦ検査用プローブ６０を示す図である。図６（Ａ）は、ＲＦ検査用プローブ６０とスプリングピンコネクタ２４とを示す。図６（Ｂ）は、スプリングピンコネクタ２４とアンテナ３１との間に、ＲＦ検査用プローブ６０が挿入された状態を示す。
【００４２】
ＲＦ検査用プローブ６０は、導電性部材６１と、絶縁性部材６２と、同軸ケーブル６３とから構成され、同軸ケーブル６３がＲＦ測定器と接続される。導電性部材６１は、金属などの導体であり、スプリングピンコネクタ２４を流れる高周波信号を、同軸ケーブル６３を経由してＲＦ測定器へ出力する。絶縁性部材６２は、プラスチックなどの絶縁性材料で形成され、ＲＦ検査用プローブ６０をスプリングピンコネクタ２４とアンテナ３１との間に挿入している間、アンテナ３１とスプリングピンコネクタ２４とを絶縁状態とする。絶縁性部材６２は、ＲＦ検査用プローブ６０をスプリングピンコネクタ２４とアンテナ３１との間に容易に挿入できるようにするため、スプリングピンコネクタ２４と接触する面の高さ（短手部分６２Ａ）を、スプリングピンコネクタ２４との非接触部分（長手部分６２Ｂ）よりも小さくしている。
【００４３】
この長手部分６２Ｂおよび短手部分６２Ａの高さは、アンテナ３１とスプリングピンコネクタ２４とを絶縁状態にすることができる高さであって、スプリングピンコネクタ２４が伸縮可能な範囲に応じて定めてもよい。例えば、長手部分６２Ｂは、５ｍｍ〜１０ｍｍ程度の高さを有し、短手部分６２Ａは、２〜３ｍｍ程度の高さを有する。この絶縁性部材６２の厚み（短手部分６２Ａ、長手部分６２Ｂの幅）は、例えば２〜３ｍｍ程度である。
【００４４】
図６（Ｂ）に示すように、アンテナ３１と、スプリングピンコネクタ２４との間に、ＲＦ検査用プローブ６０が挿入される。アンテナ３１の嵌合用の部材が中蓋５２の軸穴に取り付けられている。絶縁性部材６２が絶縁性材料であるため、アンテナ３１と、スプリングピンコネクタ２４とが絶縁状態となる。
【００４５】
図７は、スプリングピンコネクタ２４とアンテナとの間に挿入するＲＦ検査用プローブ８０を示す図である。図７（Ａ）は、ＲＦ検査用プローブ８０を示す。図７（Ｂ）は、ＲＦ検査用プローブ８０とスプリングピンコネクタ２４とを示す。図７（Ｃ）は、ＲＦ検査用プローブ８０が、スプリングピンコネクタ２４とアンテナとの間に挿入された状態を示す。
【００４６】
図７（Ａ）に示すように、ＲＦ検査用プローブ８０は、導電性部材８１と、ウイング８２とにより構成される。
【００４７】
導電性部材８１とウイング８２とは、ともに導体である。ＲＦ検査用プローブ８０は、導体を折り曲げることで形成され、プラスチック等の絶縁性部材を使用せずにＲＦ検査用プローブを実現している。図７（Ｃ）に示すように、ＲＦ検査用プローブ８０をスプリングピンコネクタ２４とアンテナ３１との間に挿入した状態では、ウイング８２が、アンテナ３１を中蓋５２に嵌合させるための部材と、導電性部材８１との間に空間を形成し、アンテナ３１と、ＲＦ検査用プローブ８０とが非接触となる。
【００４８】
＜無線通信装置２外部からのＲＦ検査用プローブの挿入例＞
次に、図８、図９、図１０を用いて、無線通信装置２へＲＦ検査用プローブを挿入するのに適したＲＦ検査用プローブの挿入口およびアンテナ３１の配置位置について、説明する。
【００４９】
図８は、無線通信装置２の電池パック接続部分からＲＦ検査用プローブを挿入する例を示す図である。無線通信装置２は、取り外し可能な電池パックを無線通信装置２へ装着するための電池パック接続端子９１を備える。無線通信装置２は、この電池パック接続端子９１に対し、無線通信装置２の外部からＲＦ検査用プローブを挿入可能な構成とする。この場合、ＲＦ検査用プローブは、アンテナ３１とスプリングピンコネクタ２４との接続部分に挿入される。
【００５０】
図９は、無線通信装置２に備わるメモリカード等のカード挿入口からＲＦ検査用プローブを挿入する例を示す図である。無線通信装置２は、フラッシュメモリなどのメモリカードを装着するためのメモリカードスロット９２を備える。無線通信装置２は、このメモリカードスロット９２に対し、無線通信装置２の外部からＲＦ検査用プローブを挿入可能な構成とする。
【００５１】
図１０は、無線通信装置２の筺体の側面にアンテナ３１が印刷される場合に、筺体の側面にＲＦ検査用プローブを挿入する例を示す図である。例えば、ＲＦ特性の検査者は、無線通信装置２の分解時に、スプリングピンコネクタ２４とアンテナ３１との間にＲＦ検査用プローブ６０を挿入することでＲＦ特性を検査する。
【００５２】
以上のように、一実施形態について説明した。（１）本実施形態の無線通信装置２は、アンテナ（筺体に設置したアンテナ、アンテナモジュール等）と基板との接続に、伸縮性の部材（スプリングピンコネクタ（ポゴピン）や、バネ等）を使用している。このポゴピンやバネなどの伸縮性の部材と、筺体に設置したアンテナとの間に、ＲＦ検査用プローブが挿入可能な機構構造としている。（２）ＲＦ検査用プローブをアンテナとスプリングピンコネクタとの間に挿入した状態で、無線的に絶縁がとれるよう、ＲＦ検査用プローブのアンテナ側は、プラスチック等の材質を用いている。（３）スプリングピンコネクタのストロークは、ＲＦ検査用プローブ挿入時と、筺体に設置したアンテナとの接続時の２つの状態において、ＲＦ的に十分コンタクトが可能な構造を有している。（４）スプリングピンコネクタと、ＲＦ検査用プローブとの信号ラインは、コンタクト時の特性インピーダンス整合が調整で取られている構造となっている。
【００５３】
無線通信装置２は、関連技術と比較すると、ＲＦ同軸コネクタ２１、ＲＦコネクタ貫通用穴部３２を設けることなくＲＦ特性の検査を可能としているため、基板の小面積化、無線通信装置２の小型化に寄与することができる。さらに、関連技術では、複数のアンテナに対応してＲＦコネクタを配置しているため、アンテナ数が増えるほどＲＦコネクタの基板に占める割合も高まる。そのため、ＲＦコネクタを使用しない本実施形態では、アンテナ数が多いほど、小面積に寄与する。また、ＲＦコネクタを実装しないことにより、コストダウンも図ることができる。
【００５４】
＜ＲＦ検査用プローブの変形例＞
ＲＦ検査用プローブを、以下の様に構成してもよい。
【００５５】
図１１は、ＲＦ検査用プローブ８８を示す図である。導電性部材９３は、絶縁性部材９４で覆われており、絶縁性部材９４の一部において導電性部材９３が露出している。導電性部材９３は、同軸ケーブル９５を経由してＲＦ測定器と接続される。ＲＦ特性の検査者は、この導電性部材９３が露出している部分をスプリングピンコネクタ２４と接触させることでＲＦ特性を検査する。
【００５６】
図１２は、複数種類のＲＦ特性検査に対応するＲＦ検査用プローブ８９を示す図である。ＲＦ検査用プローブ８９は、２つの導電性部材（導電性部材９３Ａ、導電性部材９３Ｂ）を有している。これら導電性部材（導電性部材９３Ａ、導電性部材９３Ｂ）は、絶縁性部材９４で覆われており、絶縁性部材９４の一部において、これら導電性部材（導電性部材９３Ａ、導電性部材９３Ｂ）が露出している。これら導電性部材（導電性部材９３Ａ、導電性部材９３Ｂ）は、それぞれ、同軸ケーブル９５Ａ、同軸ケーブル９５ＢによりＲＦ測定器と接続される。
【００５７】
ＲＦ検査用プローブ８９を使用すると、ユーザは、複数の異なる周波数のＲＦ特性を検査することができる。無線通信装置２は、複数の通信方式に対応しているが、これら通信方式で使用される周波数帯は、それぞれ異なる。そのため、ＲＦ特性の検査者は、ＲＦ検査用プローブ８９を使用すると、それぞれの周波数帯に対応してＲＦ特性を検査することができる。
【００５８】
＜アンテナと基板とを接続する伸縮性の部材の変形例＞
上記実施形態では、アンテナと基板とを接続するためにスプリングピンコネクタ２４を用いている。これに限らず、アンテナと基板とを接続する伸縮性の部材は、例えば接点バネを用いることとしてもよい。
【００５９】
図１３は、接点バネ２９とアンテナとの間に挿入するＲＦ検査用プローブ６０を示す図である。図１３（Ａ）は、ＲＦ検査用プローブ６０と接点バネ２９とを示す。接点バネ２９は、図示しない基板と接続され、基板とアンテナ３１とを接続する。図１３（Ｂ）は、接点バネ２９とアンテナ３１との間に、ＲＦ検査用プローブ６０が挿入された状態を示す。
【００６０】
以上、本発明者によってなされた発明を実施の形態に基づき具体的に説明したが、本発明は前記実施の形態に限定されるものではなく、その要旨を逸脱しない範囲で種々変更可能であることはいうまでもない。今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００６１】
１  無線通信装置、２  無線通信装置、１１  基板、１２  中蓋、１３  外蓋、２１  ＲＦ同軸コネクタ、２２  スプリングピンコネクタ、２３  信号線、２４  スプリングピンコネクタ、２４Ｐ  ピン部、２４Ｑ  チューブ部、２５  切り欠き部、２９  接点バネ、３１  アンテナ、３２  ＲＦコネクタ貫通用穴部、５１  基板、５２  中蓋、５３  外蓋、６０  ＲＦ検査用プローブ、６１  導電性部材、６２  絶縁性部材、６３  同軸ケーブル、８０  ＲＦ検査用プローブ、８１  導電性部材、８２  ウイング、８８  ＲＦ検査用プローブ、８９  ＲＦ検査用プローブ、９１  電池パック接続端子、９２  メモリカードスロット、９３  導電性部材、９４  絶縁性部材、９５  同軸ケーブル。
【図１】
2014045262.tif 000003
【図２】
2014045262.tif 000004
【図３】
2014045262.tif 000005
【図４】
2014045262.tif 000006
【図５】
2014045262.tif 000007
【図６】
2014045262.tif 000008
【図７】
2014045262.tif 000009
【図８】
2014045262.tif 000010
【図９】
2014045262.tif 000011
【図１０】
2014045262.tif 000012
【図１１】
2014045262.tif 000013
【図１２】
2014045262.tif 000014
【図１３】
2014045262.tif 000015